(57)【要約】【課題】電子カメラの表示装置に設定状態をわかりやすく表示させる。【解決手段】電子カメラは、画像を表示する表示装置１１３と、撮影モード選択指示に応じて複数の撮影モードの中から１つの撮影モードを選択する選択手段１０１と、選択手段１０１が選択した撮影モードに応じて、電子カメラの設定内容を示す情報表示を表示装置１１３に異なる態様で表示させる表示制御手段１０１、１１２、１１６とを備える。【選択図】図３
2008118530.tif 000002
【特許請求の範囲】
【請求項１】
画像を表示する表示装置と、
撮影モード選択指示に応じて複数の撮影モードの中から１つの撮影モードを選択する選択手段と、
前記選択手段が選択した撮影モードに応じて、電子カメラの設定内容を示す情報表示を前記表示装置に異なる態様で表示させる表示制御手段とを備えることを特徴とする電子カメラ。
【請求項２】
請求項１に記載の電子カメラにおいて、
前記表示制御手段は、操作部材からの信号に応じて前記表示装置に前記情報表示を開始させる第１表示モード、および所定のタイミングで前記表示装置に前記情報表示を開始させる第２表示モードのいずれかの表示モードを選択することを特徴とする電子カメラ。
【請求項３】
請求項２に記載の電子カメラにおいて、
前記表示制御手段は、前記選択手段が選択した撮影モードに応じて前記いずれかの表示モードを選択することを特徴とする電子カメラ。
【請求項４】
請求項２に記載の電子カメラにおいて、
前記表示制御手段は、前記第２表示モードにおいて前記表示装置へのメニュー表示終了時、ヘルプ表示終了時、画像表示終了時、前記選択手段による撮影モード変更時、およびレリーズ操作部材が操作されなくなった時点のいずれかの場合に前記表示装置に前記情報表示を開始させることを特徴とする電子カメラ。
【請求項５】
請求項１〜４のいずれか一項に記載の電子カメラにおいて、
前記情報表示の一態様は、絞りの開閉状態およびシャッター速度の設定状態を同心円状に図示することを特徴とする電子カメラ。
【請求項６】
請求項１〜５のいずれか一項に記載の電子カメラにおいて、
前記表示制御手段は、前記第１表示モードおよび前記第２表示モードにかかわらず、電源スイッチがオン操作された場合に前記表示装置に前記情報表示を開始させることを特徴とする電子カメラ。
【発明の詳細な説明】
【技術分野】
【０００１】
本発明は、電子カメラに関する。
【背景技術】
【０００２】
画像を表示する電子カメラの表示装置に当該カメラの設定状態を示す表示を行わせる技術が知られている（特許文献１参照）。操作部材が操作されると、表示中のスルー画像に代えて設定状態を示す情報画面が表示される。
【０００３】
【特許文献１】特開２００４−４０２５４号公報
【発明の開示】
【発明が解決しようとする課題】
【０００４】
従来技術では、情報画面から認識したい情報が異なる場合であっても、情報画面が同じ態様で表示されるため、必要な情報を認識しづらいという問題があった。
【課題を解決するための手段】
【０００５】
（１）本発明による電子カメラは、画像を表示する表示装置と、撮影モード選択指示に応じて複数の撮影モードの中から１つの撮影モードを選択する選択手段と、選択手段が選択した撮影モードに応じて、電子カメラの設定内容を示す情報表示を表示装置に異なる態様で表示させる表示制御手段とを備えることを特徴とする。
（２）請求項１に記載の電子カメラにおいて、表示制御手段は、操作部材からの信号に応じて表示装置に情報表示を開始させる第１表示モード、および所定のタイミングで表示装置に情報表示を開始させる第２表示モードのいずれかの表示モードを選択することが好ましい。
（３）請求項２に記載の電子カメラにおいて、表示制御手段は、選択手段が選択した撮影モードに応じていずれかの表示モードを選択することが好ましい。
（４）請求項２に記載の電子カメラにおいて、表示制御手段は、第２表示モードにおいて表示装置へのメニュー表示終了時、ヘルプ表示終了時、画像表示終了時、選択手段による撮影モード変更時、およびレリーズ操作部材が操作されなくなった時点のいずれかの場合に表示装置に情報表示を開始させることが好ましい。
（５）請求項１〜４のいずれか一項に記載の電子カメラにおいて、情報表示の一態様は、絞りの開閉状態およびシャッター速度の設定状態を同心円状に図示することが好ましい。
（６）請求項１〜５のいずれか一項に記載の電子カメラにおいて、表示制御手段は、第１表示モードおよび第２表示モードにかかわらず、電源スイッチがオン操作された場合に表示装置に情報表示を開始させることが好ましい。
【発明の効果】
【０００６】
本発明による電子カメラでは、表示装置に設定状態をわかりやすく表示できる。
【発明を実施するための最良の形態】
【０００７】
以下、図面を参照して本発明を実施するための最良の形態について説明する。図１は、本発明の一実施の形態による一眼レフ電子カメラを上から見た図である。図１において、電子カメラは、電源スイッチ１１８ａと、レリーズボタン１１８ｃと、情報表示ボタン１１８ｄと、操作ボタン１１８ｅと、撮影モードダイアル１１８ｂと、内蔵フラッシュ装置１０７とアクセサリシュー１２０とを有する。図１は、撮影用交換レンズが電子カメラから外された状態を表している。
【０００８】
図２は、図１の電子カメラを背面から見た図である。図２において、電子カメラは、ファインダ−接眼窓１２１と、十字操作ボタン１１８ｊと、再生ボタン１１８ｆと、メニューボタン１１８ｇと、ヘルプボタン１１８ｈと、情報変更ボタン１１８ｉと、コマンドダイアル１１８ｋと、外部表示装置１１３とを有する。内蔵フラッシュ装置１０７は使用位置と格納位置との間を移動可能に構成されている。図１および図２は、内蔵フラッシュ装置１０７が格納された状態を表している。
【０００９】
図３は、電子カメラの要部構成を説明するブロック図である。演算回路１０１は、マイクロコンピュータなどによって構成される。演算回路１０１は、後述する各ブロックから出力される信号を入力して所定の演算を行い、演算結果に基づく制御信号を各ブロックへ出力する。
【００１０】
撮像素子１０２は、ＣＣＤイメージセンサなどによって構成される。撮像素子１０２は、交換レンズ１５０を通過した被写体光による像を撮像し、撮像信号を撮像信号処理部１０４へ出力する。撮像素子１０２は、駆動部１０３から出力される駆動信号によって所定の動作タイミングで駆動される。
【００１１】
撮像信号処理部１０４は撮像素子１０２から出力される光電変換信号（撮像信号）に対するアナログ処理（ゲインコントロールなど）、およびアナログ処理後の撮像信号をディジタル信号に変換する。
【００１２】
測光装置１０５は、交換レンズ１５０を通して被写体光量を検出し、検出信号を演算回路１０１へ出力する。シーケンス装置１０６は、演算回路１０１からの指示によって不図示のミラーのアップ／ダウン、不図示の絞りの駆動、絞り係止の解除、および不図示のシャッタ装置のチャージなどを行う。
【００１３】
内蔵フラッシュ装置１０７は、演算回路１０１からの指示に応じて所定の光量で発光し、被写体を照明する。通信制御部１１９は、電子カメラに装着されている交換レンズ１５０との間、アクセサリシュー１２０に装着されている不図示の外部フラッシュ装置との間、電子カメラと無線または有線接続されている外部機器（パーソナルコンピュータ等）との間で通信を行う。電子カメラおよび交換レンズ１５０間の通信では、絞り値やレンズデータ等のレンズ情報、レンズの駆動指示などのレンズ制御情報などが送受される。電子カメラおよび外部フラッシュ装置間の通信では、外部フラッシュ装置側の電池情報、発光準備情報の他、発光可否、発光タイミングおよび発光量を指示する情報などが送受される。
【００１４】
操作部材１１８は複数の操作スイッチ、ボタンなどによって構成され、各設定操作に応じて操作信号を演算回路１０１へ出力する。操作部材１１８は、電源スイッチ１１８ａ，撮影モードダイアル１１８ｂ、レリーズボタン１１８ｃ、情報表示ボタン１１８ｄ、操作ボタン１１８ｅ、再生ボタン１１８、メニューボタン１１８ｇ、ヘルプボタン１１８ｈ、情報変更ボタン１１８ｉ、十字操作ボタン１１８ｊ、およびコマンドダイアル１１８ｋを含む。
【００１５】
電源制御部１０８は、演算回路１０１からの指示に応じて各ブロックへの通電オン／オフ制御を行う。電源部１０９は、不図示の電池電圧を各ブロックで必要な電圧へ変換する。また、電源部１０９は所定時間ごとに電池電圧を検出し、検出信号を演算回路１０１へ送出する。
【００１６】
ファインダ内表示装置制御部１１０は、演算回路１０１からの指示に応じてファインダ内表示装置１１１の表示制御信号を生成する。ファインダ内表示装置１１１に表示する内容は、たとえば電池残量を示すマーク、および記録媒体１６０の残容量を示すマークなどである。ファインダ内表示装置１１１はファインダ−接眼窓１２１から観察可能な位置に配設され、ファインダ内表示装置制御部１１０が生成した表示制御信号を受けて表示を行う。
【００１７】
外部表示装置制御部１１２は、演算回路１０１からの指示に応じて外部表示装置１１３の表示制御信号を生成する。外部表示装置１１３に表示する内容は、たとえば、撮影画像や操作メニュー、電子カメラに設定されている内容（露出モード、感度、シャッタ速度、絞り値など）である。外部表示装置１１３はカラー液晶表示パネルによって構成され、外部表示装置制御部１１２が生成した表示制御信号を受けて表示を行う。
【００１８】
コントローラ１１４は、演算回路１０１からの指示に応じて記録媒体１６０に撮影画像のデータを保存したり、記録媒体１６０に保存しているデータを読み出したりする。記録媒体１６０は、たとえば、メモリカードなどのデータストレージ部材によって構成され、電子カメラに対して着脱可能である。
【００１９】
画像処理部１１５は、演算回路１０１からの指示に応じてディジタル変換後の画像データにホワイトバランス処理などの画像処理を行う他、画像処理後の画像データを所定の形式で圧縮する圧縮処理、圧縮された画像データを伸長する伸長処理などを行う。
【００２０】
ＲＡＭ１１６は演算回路１０１による作業用メモリとして使用される他、外部表示装置１１３に表示されるデータを格納するビデオメモリ(VRAM)として使用される。ＲＯＭ１１７は演算回路１０１が実行するプログラムを格納する。
【００２１】
＜撮影モード＞  
電子カメラは、撮影モードダイアル１１８ｂから入力される操作信号に応じて撮影モードを切替える。具体的には、撮影モードダイアル１１８ｂが回転操作された結果、カメラボディ側の指標に対応する撮影モードダイアル１１８ｂ上の表示マークが示す撮影モードを選ぶ。図４および図５は、撮影モードダイアル１１８ｂに表示されているマークを説明する図である。図４は、撮影条件を電子カメラが自動設定する「簡単モード」群に含まれる撮影モードを示すマークである。図５は、撮影条件の少なくとも一部をユーザが設定する「応用モード」群に含まれる撮影モードを示すマークである。
【００２２】
＜簡単モード群＞
（簡単１）
図４において、マーク４１は「オート」モードに対応する。「オート」モードは、電子カメラが全ての撮影条件を自動設定する撮影モードである。内蔵フラッシュ装置１０７の使用が許可されている場合の電子カメラは、撮影時に被写体が暗いと判定した場合、または逆光を判定した場合に内蔵フラッシュ装置１０７を発光させるように撮影条件を設定する。内蔵フラッシュ装置１０７の使用が禁止されている場合の電子カメラは、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００２３】
（簡単２）
マーク４２は「発光禁止オート」モードに対応する。「発光禁止オート」は、フラッシュ装置を発光させないように電子カメラが撮影条件を自動設定する撮影モードである。「オート」モードと異なり、内蔵フラッシュ装置１０７およびアクセサリシュー１２０に装着されている外部フラッシュ装置（不図示）のいずれも発光させないように撮影条件を設定する。
【００２４】
（簡単３）
マーク４３は「ポートレート」モードに対応する。「ポートレート」モードは、電子カメラが人物撮影に適した撮影条件を自動設定する撮影モードである。内蔵フラッシュ装置１０７の使用が許可されている場合の電子カメラは、撮影時に被写体が暗いと判定した場合、または逆光を判定した場合に内蔵フラッシュ装置１０７を発光させるように撮影条件を設定する。内蔵フラッシュ装置１０７の使用が禁止されている場合の電子カメラは、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００２５】
（簡単４）
マーク４４は「風景」モードに対応する。「風景」モードは、電子カメラが風景撮影に適した撮影条件を自動設定する撮影モードである。「風景」モードの電子カメラは、内蔵フラッシュ装置１０７の使用許可／禁止にかかわらず、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００２６】
（簡単５）
マーク４５は「子供スナップ」モードに対応する。「子供スナップ」モードは、電子カメラが子供の撮影に適した撮影条件を自動設定する撮影モードである。内蔵フラッシュ装置１０７の使用が許可されている場合の電子カメラは、撮影時に被写体が暗いと判定した場合、または逆光を判定した場合に内蔵フラッシュ装置１０７を発光させるように撮影条件を設定する。内蔵フラッシュ装置１０７の使用が禁止されている場合の電子カメラは、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００２７】
（簡単６）
マーク４６は「スポーツ」モードに対応する。「スポーツ」モードは、電子カメラが動きのある被写体撮影に適した撮影条件を自動設定する撮影モードである。「スポーツ」モードの電子カメラは、内蔵フラッシュ装置１０７の使用許可／禁止にかかわらず、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００２８】
（簡単７）
マーク４７は「クローズアップ」モードに対応する。「クローズアップ」モードは、電子カメラが接写に適した撮影条件を自動設定する撮影モードである。内蔵フラッシュ装置１０７の使用が許可されている場合の電子カメラは、撮影時に被写体が暗いと判定した場合、または逆光を判定した場合に内蔵フラッシュ装置１０７を発光させるように撮影条件を設定する。内蔵フラッシュ装置１０７の使用が禁止されている場合の電子カメラは、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００２９】
（簡単８）
マーク４８は「夜景ポートレート」モードに対応する。「夜景ポートレート」モードは、電子カメラが夜景をバックに人物撮影するのに適した撮影条件を自動設定する撮影モードである。内蔵フラッシュ装置１０７の使用が許可されている場合の電子カメラは、撮影時に被写体が暗いと判定した場合、または逆光を判定した場合に内蔵フラッシュ装置１０７を発光させるように撮影条件を設定する。内蔵フラッシュ装置１０７の使用が禁止されている場合の電子カメラは、内蔵フラッシュ装置１０７を発光させないように撮影条件を設定する。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるように撮影条件を設定する。
【００３０】
＜応用モード群＞
（応用１）
図５において、マーク５１は「マニュアル」モードに対応する。「マニュアル」モードは、露出に関してシャッター速度および絞り値をユーザが設定する撮影モードである。ユーザは、コマンドダイアル１１８ｋを回転操作してシャッター速度および絞り値を設定する。内蔵フラッシュ装置１０７の使用が指示されている場合の電子カメラは、撮影時に内蔵フラッシュ装置１０７を発光させるようにする。内蔵フラッシュ装置１０７の使用が禁止されている場合の電子カメラは、内蔵フラッシュ装置１０７を発光させないようにする。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるようにする。
【００３１】
（応用２）
マーク５２は「絞り優先オート」モードに対応する。「絞り優先オート」モードは、露出に関してユーザが絞り値を設定し、シャッター速度を電子カメラが自動設定する撮影モードである。ユーザは、コマンドダイアル１１８ｋを回転操作して絞り値を設定する。内蔵フラッシュ装置１０７の使用が指示されている場合の電子カメラは、撮影時に内蔵フラッシュ装置１０７を発光させるようにする。内蔵フラッシュ装置１０７の使用が禁止されている場合の電子カメラは、内蔵フラッシュ装置１０７を発光させないようにする。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるようにする。
【００３２】
（応用３）
マーク５３は「シャッター優先オート」モードに対応する。「シャッター優先オート」モードは、露出に関してユーザがシャッター速度を設定し、絞り値を電子カメラが自動設定する撮影モードである。ユーザは、コマンドダイアル１１８ｋを回転操作してシャッター速度を設定する。内蔵フラッシュ装置１０７の使用が指示されている場合の電子カメラは、撮影時に内蔵フラッシュ装置１０７を発光させるようにする。内蔵フラッシュ装置１０７の使用が禁止されている場合の電子カメラは、内蔵フラッシュ装置１０７を発光させないようにする。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるようにする。
【００３３】
（応用４）
マーク５４は「プログラムオート」モードに対応する。「プログラムオート」モードは、露出に関して電子カメラがシャッター速度および絞り値を自動設定する撮影モードである。内蔵フラッシュ装置１０７の使用が指示されている場合の電子カメラは、撮影時に内蔵フラッシュ装置１０７を発光させるようにする。内蔵フラッシュ装置１０７の使用が禁止されている場合の電子カメラは、内蔵フラッシュ装置１０７を発光させないようにする。なお、アクセサリシュー１２０に使用可能な外部フラッシュ装置（不図示）が装着されている場合は、内蔵フラッシュ装置１０７の使用許可／禁止にかかわらず外部フラッシュ装置を発光させるようにする。
【００３４】
＜撮影情報の表示＞
本実施形態による電子カメラは、外部表示装置１１３に撮影情報などカメラの設定内容を表示させる場合、３態様の画面デザインの中から選択した１つの画面デザインを用いて表示する。図６〜図８は、それぞれ３態様の画面デザインを説明する図である。
【００３５】
（画面デザイン１）
図６は、「マニュアル」モードにおいて設定内容を表示する「画面デザイン１」を例示する図である。図６において、符号６１の表示は画質モードを示し、符号６２の表示は画像サイズを示す。符号６３の表示はホワイトバランスモードを示し、符号６４の表示はISO感度を示す。符号６５の表示は単写／連写またはセルフタイマー設定内容を示し、符号６６の表示はフォーカス調節モードを示す。符号６７の表示はＡＦ(オートフォーカス)エリアモードを示し、符号６８の表示は測光モードを示す。
【００３６】
符号６９の表示は上記「応用モード」の種別マークを示し、符号７０の表示はシャッター速度を示す。符号７１の表示は絞り値を示し、符号７２の表示は露出インジケータおよび露出補正インジケータを示す。符号７３の表示はフォーカスエリアを示し、符号７４の表示は仕上がり設定内容を示す。符号７５の表示は電子音設定を示し、符号７６の表示は電池残量を示す。符号７７の表示は撮影可能コマ数（残コマ数）を示し、符号７８の表示はフラッシュモードを示す。符号７９の表示は露出補正を示し、符号８０の表示は調光補正を示す。符号８１の表示「Ｆｎ」は、隣接表示する項目（図６では画質モードおよび画像サイズ）の変更操作が操作ボタン１１８ｅ（Fn）に割り付けられていることを示す。符号８２の表示「ＷＢ」は隣接表示６３の項目がホワイトバランス（WB）モードであることを示す。符号８３の表示「ＩＳＯ」は、隣接表示６４の項目がISO感度であることを示す。
【００３７】
（画面デザイン２）
図７は、「発光禁止オート」モードにおいて設定内容を表示する「画面デザイン２」を例示する図である。図７において、右端部には図６の右端部に表示されていた符号６１〜符号６８の表示が共通に表示される。図６において表示されていた符号６９〜符号８０の表示は、表示する大きさや表示する位置を図６の場合と変えて表示されている。たとえば、図６の「応用モード」の種別表示６９に代えて、「簡単モード」の種別マーク９１が表示される。
【００３８】
図６において表示されていた露出インジケータおよび露出補正インジケータ７２が図７に表示されていない（または目立たない表示態様にする）のは、「簡単モード」では露出補正操作を行わないためである。反対に、図７において表示されている符号９４の感度自動変更を示す表示が図６に表示されていない（または目立たない表示態様にする）のは、「マニュアル」モードでは感度自動変更を行わないためである。
【００３９】
図７に例示した「画面デザイン２」の特徴は、絞りの開閉状態を示す表示９２およびシャッター速度を示す表示９３が同心円でグラフィカルに示される点である。シャッター速度表示９３は、シャッター速度が速いほど時計回りに弧が長く変化し、シャッター速度が遅くなるほど弧が短く変化する。絞り表示９２は、絞りが開くほど円形絞りの口径が広く変化し、絞りが閉じるほど円形絞りの口径が狭く変化する。
【００４０】
（画面デザイン３）
図８は、「発光禁止オート」モードにおいて設定内容を表示する「画面デザイン３」を例示する図である。図７の場合と比べて、グラフィカル表示９２および９３に代えて撮影画像などを背景表示（いわゆる壁紙）させ、背景画像に重ねて設定内容を表示させる点が異なる。設定内容の表示位置および表示態様は、図７の場合と同様である。なお、設定内容を表示する文字色が背景色と同系統になる場合、文字色を背景色と異なる色に変更して表示する。
【００４１】
電子カメラが外部表示装置１１３に設定内容を表示する際に用いる画面デザインは、たとえば、メニュー操作によって指示される。図９は、この場合に外部表示装置１１３に表示されるメニュー画面を例示する図である。ユーザはメニューボタン１１８ｇを押下操作後、十字操作ボタン１１８ｊを上下方向に操作して任意の画面デザインを選び、情報変更ボタン１１８ｉを操作して画面デザインを決定する。
【００４２】
本実施形態では、上記「簡単モード」群と「応用モード」群とでそれぞれ異なる画面デザインの選択が可能にされている。たとえば、応用１〜応用４のいずれかの撮影モードを選択中に外部表示装置１１３に設定内容を表示させる場合は図６の「画面デザイン１」で表示させ、簡単１〜簡単８のいずれかの撮影モードを選択中に外部表示装置１１３に設定内容を表示させる場合には図７の「画面デザイン２」で表示させる。
【００４３】
以上説明した情報表示を行うために演算回路１０１が行う処理について、図１０〜図１５のフローチャートを参照して説明する。
＜情報画面デザインの選択＞
図１０は、情報画面デザインを設定するメニュー処理の流れを説明するフローチャートである。演算回路１０１は、メニューボタン１１８ｇが押下されたことを示す操作信号が入力され、メニュー項目の中から「情報画面デザイン」の項目を選択指示する操作信号が入力されると図１０の処理を起動する。メニュー選択操作は十字操作ボタン１１８ｊおよび情報変更ボタン１１８ｉによって行われる。
【００４４】
図１０のステップＳ１０１において、演算回路１０１は、設定する情報画面デザインが応用モード(PSAM)用か簡単モード(DIP)用かの選択処理を行う。ステップＳ１０２において、演算回路１０１は、応用モード(PSAM)が選択操作された場合にステップＳ１０２を肯定判定してステップＳ１０３へ進む。演算回路１０１は、簡単モード(DIP)が選択操作された場合にはステップＳ１０２を否定判定してステップＳ１０５へ進む。
【００４５】
ステップＳ１０３において、演算回路１０１は応用モード(PSAM)用の画面（表示）デザインの選択処理を行う。ステップＳ１０４において、演算回路１０１は選択操作信号に応じて「画面デザイン１」〜「画面デザイン３」のいずれか１つを選び、選択情報をＲＯＭ１１７の所定領域に書き込んで図１０の処理を終了する。
【００４６】
ステップＳ１０５において、演算回路１０１は簡単モード(DIP)用の画面（表示）デザインの選択処理を行う。図９に例示したメニュー画面は、この時点で外部表示装置１１３に表示される。ステップＳ１０６において、演算回路１０１は選択操作信号に応じて「画面デザイン１」〜「画面デザイン３」のいずれか１つを選び、選択情報をＲＯＭ１１７の所定領域に書き込んで図１０の処理を終了する。
【００４７】
＜壁紙設定＞
図１１は、壁紙を設定するメニュー処理の流れを説明するフローチャートである。壁紙は、上述した「画面デザイン３」において背景画像として用いられる。演算回路１０１は、メニューボタン１１８ｇが押下されたことを示す操作信号が入力され、メニュー項目の中から「壁紙設定」の項目を選択指示する操作信号が入力されると図１１の処理を起動する。メニュー選択操作は十字操作ボタン１１８ｊおよび情報変更ボタン１１８ｉによって行われる。
【００４８】
ステップＳ１５１において、演算回路１０１は、メモリカード１６０に記録されているファイル情報を取得してステップＳ１５２へ進む。ステップＳ１５２において、演算回路１０１は、壁紙設定可能なデータが存在するか否かを判定する。演算回路１０１は、メモリカード１６０に画像データが存在すればステップＳ１５２を肯定判定してステップＳ１５３へ進み、画像データが存在しなければステップＳ１５２を否定判定して図１１の処理を終了する。画像データが存在しない場合は壁紙を設定（変更）する処理を行わない。
【００４９】
ステップＳ１５３において、演算回路１０１はファイル表示選択処理を行う。たとえば、壁紙として表示可能なファイルリストを外部表示装置１１３に表示させ、十字操作ボタン１１８ｊおよび情報変更ボタン１１８ｉからの操作信号によって選択指示された画像ファイルを壁紙表示用に設定し、ステップＳ１５４へ進む。
【００５０】
ステップＳ１５４において、演算回路１０１は、ＲＯＭ１１７の所定領域から古い壁紙データを削除してステップＳ１５５へ進む。ステップＳ１５５において、演算回路１０１は、ＲＯＭ１１７の当該領域にステップＳ１５３で選択した新しい壁紙データを書き込んで図１１の処理を終了する。
【００５１】
＜自動表示設定＞
電子カメラは、情報表示ボタン１１８ｄから操作信号が入力された場合に加えて、所定のタイミングで外部表示装置１１３に図６〜図８で例示した設定内容を表示させる。電子カメラは「情報画面の自動表示」がオン設定された場合、情報表示ボタン１１８ｄが操作されなくても設定内容を表示させる。「情報画面の自動表示」設定は、上記「簡単モード」群と「応用モード」群とでそれぞれ異なる設定（一方がオンで他方がオフ）が可能にされている。
【００５２】
図１２は、情報画面の自動表示設定処理の流れを説明するフローチャートである。演算回路１０１は、メニューボタン１１８ｇが押下されたことを示す操作信号が入力され、メニュー項目の中から「情報画面の自動表示」の項目を選択指示する操作信号が入力されると図１２の処理を起動する。メニュー選択操作は十字操作ボタン１１８ｊおよび情報変更ボタン１１８ｉによって行われる。
【００５３】
図１２のステップＳ２０１において、演算回路１０１は、自動表示設定が応用モード(PSAM)用か簡単モード(DIP)用かの選択処理を行う。ステップＳ２０２において、演算回路１０１は、応用モード(PSAM)が選択操作された場合にステップＳ２０２を肯定判定してステップＳ２０３へ進み、簡単モード(DIP)が選択操作された場合にはステップＳ２０２を否定判定してステップＳ２０５へ進む。
【００５４】
ステップＳ２０３において、演算回路１０１は、応用モード(PSAM)用の自動表示設定のオン／オフ選択処理を行う。ステップＳ２０４において、演算回路１０１は選択操作信号に応じてオンまたはオフを選び、選択情報をＲＯＭ１１７の所定領域に書き込んで図１２の処理を終了する。
【００５５】
ステップＳ２０５において、演算回路１０１は、簡単モード(DIP)用の自動表示設定のオン／オフ選択処理を行う。ステップＳ２０６において、演算回路１０１は選択操作信号に応じてオンまたはオフを選び、選択情報をＲＯＭ１１７の所定領域に書き込んで図１２の処理を終了する。
【００５６】
＜表示処理＞  
図１３〜図１５は、演算回路１０１が図１０〜図１２による処理で設定した内容に基づいて行う情報表示処理の流れを説明するフローチャートである。演算回路１０１は、撮影処理中を除いて繰り返し図１３〜図１５による処理を行う。
【００５７】
図１３のステップＳ３０１において、演算回路１０１は、設定内容を外部表示装置１１３へ自動表示する条件が成立したか否かを判定する。演算回路１０１は、次の条件１〜条件５のいずれかに該当する場合にステップＳ３０１を肯定判定してステップＳ３０７へ進む。演算回路１０１は、いずれの条件にも該当しない場合にはステップＳ３０１を否定判定してステップＳ３０２へ進む。
【００５８】
条件１：レリーズボタン１１８ｃが押下操作後、操作されなくなった場合
条件２：メニュー操作中（外部表示装置１１３にメニュー画面を表示中）にメニューボタン１１８ｇが押下操作され、メニュー画面表示を終了した場合
条件３：外部表示装置１１３にヘルプ画面を表示中にヘルプボタン１１８ｈが押下操作され、ヘルプ画面表示を終了した場合
条件４：外部表示装置１１３に再生（メモリカード１６０に記録されている画像データによる画像）表示中に再生ボタン１１８ｆが押下操作され、再生表示を終了した場合
条件５：撮影モードダイアル１１８ｂが操作され、応用モード(PSAM)および簡単モード(DIP)間で選択切替えが生じた場合
【００５９】
ステップＳ３０２において、演算回路１０１は、情報表示ボタン１１８ｄが操作されたか否かを判定する。演算回路１０１は、情報表示ボタン１１８ｄの押下操作信号が入力されるとステップＳ３０２を肯定判定してステップＳ３０３へ進み、情報表示ボタン１１８ｄからの押下操作信号が入力されない場合にはステップＳ３０２を否定判定してステップＳ３０１へ戻る。
【００６０】
ステップＳ３０３において、演算回路１０１は情報表示中か否かを判定する。演算回路１０１は、外部表示装置１１３に図６〜図８で例示した設定内容を表示させている場合にステップＳ３０３を肯定判定してステップＳ３０４へ進む。演算回路１０１は、外部表示装置１１３に設定内容を表示させていない場合にはステップＳ３０３を否定判定してステップ３０５へ進む。
【００６１】
ステップＳ３０４において、演算回路１０１は、外部表示装置１１３に表示中の情報画面を消去させてステップＳ３０１へ戻る。ステップＳ３０５において、演算回路１０１は、撮影モードダイアル１１８ｂの操作状態を取得してステップＳ３０６へ進む。ステップＳ３０６において、演算回路１０１は、撮影モードが応用モード(PSAM)か否かを判定する。演算回路１０１は、操作信号が応用モード(PSAM)を示す場合にステップＳ３０６を肯定判定して図１４のステップＳ３５１へ進む。演算回路１０１は、操作信号が簡単モード(DIP)を示す場合にはステップＳ３０６を否定判定し、図１５のステップＳ４０１へ進む。
【００６２】
ステップＳ３０７において、演算回路１０１は、撮影モードダイアル１１８ｂの操作状態を取得してステップＳ３０８へ進む。ステップＳ３０８において、演算回路１０１は、撮影モードが応用モード(PSAM)か否かを判定する。演算回路１０１は、操作信号が応用モード(PSAM)を示す場合にステップＳ３０８を肯定判定してステップＳ３０９へ進む。演算回路１０１は、操作信号が簡単モード(DIP)を示す場合にはステップＳ３０８を否定判定し、ステップＳ３１０へ進む。
【００６３】
ステップＳ３０９において、演算回路１０１は、応用モード(PSAM)用の自動表示設定がオンか否かを判定する。演算回路１０１は、自動表示設定処理（図１２）によってオン設定されている場合はステップＳ３０９を肯定判定して図１４のステップＳ３５１へ進む。演算回路１０１は、自動表示設定処理（図１２）によってオフ設定されている場合はステップＳ３０９を否定判定してステップＳ３０１へ戻る。
【００６４】
ステップＳ３１０において、演算回路１０１は、簡単モード(DIP)用の自動表示設定がオンか否かを判定する。演算回路１０１は、自動表示設定処理（図１２）によってオン設定されている場合はステップＳ３１０を肯定判定して図１５のステップＳ４０１へ進む。演算回路１０１は、自動表示設定処理（図１２）によってオフ設定されている場合はステップＳ３１０を否定判定してステップＳ３０１へ戻る。
【００６５】
図１４のステップＳ３５１において、演算回路１０１は、情報画面デザインの選択処理（図１０）で選択した応用モード(PSAM)用の画面（表示）デザインをＲＯＭ１１７から読み出す。画面デザインが「画面デザイン１」の場合の演算回路１０１は、ステップＳ３５２において外部表示装置１１３に「画面デザイン１」の表示を行わせて図１３のステップＳ３０１へ戻る。
【００６６】
画面デザインが「画面デザイン２」の場合の演算回路１０１は、ステップＳ３５３において外部表示装置１１３に「画面デザイン２」の表示を行わせて図１３のステップＳ３０１へ戻る。画面デザインが「画面デザイン３」の場合の演算回路１０１は、ステップＳ３５４において外部表示装置１１３に「画面デザイン３」の表示を行わせて図１３のステップＳ３０１へ戻る。
【００６７】
図１５のステップＳ４０１において、演算回路１０１は、情報画面デザインの選択処理（図１０）で選択した簡単モード(DIP)用の画面（表示）デザインをＲＯＭ１１７から読み出す。画面デザインが「画面デザイン１」の場合の演算回路１０１は、ステップＳ４０２において外部表示装置１１３に「画面デザイン１」の表示を行わせて図１３のステップＳ３０１へ戻る。
【００６８】
画面デザインが「画面デザイン２」の場合の演算回路１０１は、ステップＳ４０３において外部表示装置１１３に「画面デザイン２」の表示を行わせて図１３のステップＳ３０１へ戻る。画面デザインが「画面デザイン３」の場合の演算回路１０１は、ステップＳ４０４において外部表示装置１１３に「画面デザイン３」の表示を行わせて図１３のステップＳ３０１へ戻る。
【００６９】
なお、以上説明した図１３〜図１５の表示処理中にレリーズボタン１１８ｃが押下操作された場合や外部表示装置１１３への通電がオフされる場合（タイマーオフを含む）には、演算回路１０１は外部表示装置１１３に表示中の情報画面を消去させて表示処理を終了する。
【００７０】
また、上記表示処理と別に、電源スイッチ１１８ａのオン操作時は演算回路１０１が設定内容を外部表示装置１１３に表示させる。画面デザインは、設定されている撮影モード（応用モードまたは簡単モード）に対応する画面デザインである。これにより、「情報画面の自動表示」がオフ設定されている場合にも電源オン操作時は必ず図６〜図８のいずれかの情報表示画面が外部表示装置１１３に表示されるため、ユーザは電子カメラが起動したことを外部表示装置１１３の画面から知ることができる。
【００７１】
＜設定内容の変更＞
（変更１）
本実施形態の電子カメラは、図６〜図８で例示した情報表示画面を外部表示装置１１３に表示した状態で、当該画面の右側に表示されている画質モード６１、画像サイズ６２、ホワイトバランスモード６３、ISO感度６４、単写／連写またはセルフタイマー設定内容６５、フォーカス調節モード６６、ＡＦ(オートフォーカス)エリアモード６７、測光モード６８の設定内容を、それぞれ単独で変更可能である。たとえば、ユーザは情報変更ボタン１１８ｉを押下操作後、十字操作ボタン１１８ｊを上下方向に操作して任意の項目を選ぶ。
【００７２】
図１６は、外部表示装置１１３へ「画面デザイン１」を表示中に、変更項目として画質モード６１が選択された状態を説明する図である。ユーザは、十字操作ボタン１１８ｉを左右方向に操作することによって画質モードに関する設定内容を「FINE」以外に変更できる。変更操作後に再び情報変更ボタン１１８ｉを押下操作すると、変更内容が演算回路１０１へ入力される。
【００７３】
図１７は、外部表示装置１１３へ「画面デザイン１」を表示中に、変更項目として画像サイズ６２が選択された状態を説明する図である。ユーザは、十字操作ボタン１１８ｉを左右方向に操作することによって画像サイズに関する設定内容を「Ｌ」以外の設定内容に変更できる。変更操作後に再び情報変更ボタン１１８ｉを押下操作すると、変更内容が演算回路１０１へ入力される。
【００７４】
（変更２）
本実施形態の電子カメラは、図６〜図８で例示した情報表示画面を外部表示装置１１３に表示した状態で、当該画面の右側に表示されている項目のうち操作ボタン１１８ｅにファンクション割付されている項目の設定内容を、コマンドダイアル１１８ｋによって変更可能である。たとえば、ユーザはあらかじめ操作ボタン１１８ｅの機能として画像品質の変更を割り付けておき、操作ボタン１１８ｅを押下操作しながらコマンドダイアル１１８ｋを回転操作させる。
【００７５】
図１８は、外部表示装置１１３へ「画面デザイン１」を表示中に、操作ボタン１１８ｅが操作された状態を説明する図である。画像品質に対応する変更項目として画質モード６１および画像サイズ６２がいっしょに選択される（符号６１Ａ）。ユーザは、コマンドダイアル１１８ｋ回転操作することによって画質モードおよび画像サイズを「FINE」および「Ｌ」以外に変更できる。回転操作に応じて両者の組み合わせがシーケンシャルに変更される。ユーザが変更操作後に操作ボタン１１８ｅを離すと、変更内容が演算回路１０１へ入力される。
【００７６】
以上説明した実施形態によれば、次の作用効果が得られる。
（１）画像表示に用いる外部表示装置１１３に、撮影情報などカメラに設定されている内容を情報表示させるので、設定内容を表示するために専用の表示器を設けなくてもよい。
【００７７】
（２）撮影モードに応じて上記設定内容を情報表示する表示態様を異ならせたので、たとえば、ユーザが設定を行う撮影モード時に当該設定項目をユーザが認識しやすいようにわかりやすく表示し、電子カメラが自動設定する撮影モード時には設定項目を目立たない表示にさせることができる。
【００７８】
（３）情報表示ボタン１１８ｄが押下されると外部表示装置１１３に情報表示を開始する手動表示と、所定タイミングで外部表示装置１１３に情報表示を開始する自動表示とを選択するように構成したので、ユーザが望む方式で情報表示させることができる。
【００７９】
（４）撮影モードに応じて上記手動表示または自動表示を選ぶ構成にしたので、たとえば、ユーザが設定を行う撮影モード時に情報表示を自動的に開始させ、電子カメラが自動設定する撮影モード時には自動表示させないでおくことができる。
【００８０】
（５）画面デザイン２において、絞り状態およびシャッター速度の状態を同心円でグラフィック表示させたので、視覚的にわかりやすく表示できる。
【００８１】
（６）電源オン操作時、手動表示および自動表示にかかわらず外部表示装置１１３に情報表示を開始させたので、ユーザは、電子カメラが起動したことを外部表示装置１１３の画面から知ることができる。
【００８２】
（７）簡単モードとして発光禁止オートモード（簡単２）を設けたので、撮影モードダイアル１１８ｂを操作するだけで、電子カメラに内蔵するフラッシュ装置１０７およびアクセサリシュー１２０に装着されている外部フラッシュ装置（不図示）のいずれも発光させないように制御できる。
【００８３】
（８）図６〜図８で例示した情報表示画面を外部表示装置１１３に表示した状態で、当該画面の右側に表示されている項目を上記（変更１）および（変更２）の２系統で変更可能にした。外部表示装置１１３を隔てた操作部材１１８ｉおよび１１８ｊを操作する方式（変更１）と、レリーズボタン１１８ｃの近傍の操作部材１１８ｅおよび１１８ｋを操作する方式（変更２）とによって変更できるので、ユーザは好みの変更操作方式を選ぶことができる。
【００８４】
（９）上記（変更２）の場合には複数の項目（上記例では画質モードおよび画像サイズ）を組み合わせてシーケンシャルに変更するようにしたので、たとえば片手の人差し指と親指とで簡単に変更することができる。
【００８５】
（変形例１）
上述した説明においては、「簡単モード」群と「応用モード」群とでそれぞれ異なる画面デザインの選択をするようにした。この代わりに、撮影モードごとに画面デザインの選択をするように構成してもよい。画面デザインは上述した３態様に限らず、さらに多くの画面デザインの中から選択するようにしても構わない。
【００８６】
（変形例２）
上述した説明においては、「簡単モード」群と「応用モード」群とでそれぞれ自動表示設定のオン／オフ選択するようにした。この代わりに、撮影モードごとに自動表示設定をするように構成してもよい。
【００８７】
（変形例３）
画面デザインの選択は、情報表示画面について行うように説明したが、メニュー画面やヘルプ画面についても複数の画面を用意しておき、撮影モードに応じて選択できる構成にしてもよい。この場合、情報表示画面とメニュー画面（ヘルプ画面）とは、その色相や濃淡などを揃えるとよい。
【００８８】
以上の説明はあくまで一例であり、上記の実施形態の構成に何ら限定されるものではない。
【図面の簡単な説明】
【００８９】
【図１】本発明の一実施の形態による電子カメラを上から見た図である。
【図２】図１の電子カメラを背面から見た図である。
【図３】電子カメラの要部構成を説明するブロック図である。
【図４】撮影モードダイアルの表示マークを説明する図である。
【図５】撮影モードダイアルの表示マークを説明する図である。
【図６】外部表示装置の画面デザインを説明する図である。
【図７】外部表示装置の画面デザインを説明する図である。
【図８】外部表示装置の画面デザインを説明する図である。
【図９】メニュー画面を例示する図である。
【図１０】情報画面デザインを設定するメニュー処理の流れを説明するフローチャートである。
【図１１】壁紙を設定するメニュー処理の流れを説明するフローチャートである。
【図１２】情報画面の自動表示設定処理の流れを説明するフローチャートである。
【図１３】情報表示処理の流れを説明するフローチャートである。
【図１４】情報表示処理の流れを説明するフローチャートである。
【図１５】情報表示処理の流れを説明するフローチャートである。
【図１６】変更項目として画質モードが選択された状態を説明する図である。
【図１７】変更項目として画像サイズが選択された状態を説明する図である。
【図１８】画像品質に対応する変更項目として画質モードおよび画像サイズがともに選択された状態を説明する図である。
【符号の説明】
【００９０】
１０１…演算回路
１１２…外部表示装置制御部
１１３…外部表示装置
１１６…ＲＡＭ
１１８…操作部材
【図１】
2008118530.tif 000003
【図２】
2008118530.tif 000004
【図３】
2008118530.tif 000005
【図４】
2008118530.tif 000006
【図５】
2008118530.tif 000007
【図６】
2008118530.tif 000008
【図７】
2008118530.tif 000009
【図８】
2008118530.tif 000010
【図９】
2008118530.tif 000011
【図１０】
2008118530.tif 000012
【図１１】
2008118530.tif 000013
【図１２】
2008118530.tif 000014
【図１３】
2008118530.tif 000015
【図１４】
2008118530.tif 000016
【図１５】
2008118530.tif 000017
【図１６】
2008118530.tif 000018
【図１７】
2008118530.tif 000019
【図１８】
2008118530.tif 000020